(57)【要約】【課題】  種子を入れない基盤材のみの吹付けにより、緑化地盤面を造成し、飛来する種子を拾う待受け型の緑化、又は近隣の山林の表土を採取し、そこにある種子を利用する埋土利用型の緑化を可能とする。【解決手段】  天然真性腐植土や自然の熟成土を焼鈍した焼土と、木・竹・籾殻等の植物炭に苦汁などの天然ミネラル加えた緑化基盤材、または、これにバーク堆肥などの肥料を加えた緑化基盤材を、無機系鉱物で接合し安定させた基盤を造成する。【特許請求の範囲】
【請求項１】
焼土、植物炭及びミネラルの３要素素材、又は、これにバーク堆肥を加えた４要素素材からなることを特徴とする緑化基盤材。
【請求項２】
請求項１記載の焼土が、天然真性腐植土又は自然熟成土を焼鈍させたものであり、植物炭が木炭、竹炭、燻灰であり、ミネラルが苦汁などの天然ミネラルであることを特徴とする緑化基盤材。
【請求項３】
請求項１又は２項記載の緑化基盤材が、重量換算率でバーク堆肥を１〜90％、焼土を５〜95％、植物炭を１〜50％、ミネラルが（１〜50）×10-4％の成分であることを特徴とする緑化基盤材。
【請求項４】
焼土、植物炭及び苦汁等の天然ミネラル、又はこれにバーク堆肥を加えた緑化基盤材を無機系鉱物から成る接合材で接合・安定させることを特徴とする緑化基盤材。
【請求項５】
請求項４記載の緑化基盤材を接合・安定させる無機系鉱物から成る接合材が、石粉、フライアッシュ、シリカ微粉末等の植物育成材とモンモリロナイト、ベントナイト、イライト等の粘土鉱物から成る粘性助材を主成分とし、セメント鉱物を従成分とする無機系接合材であることを特徴とする緑化基盤材。
【発明の詳細な説明】
【技術分野】
【０００１】
本発明は道路、造成地、その他の法面保護、景観保護のための法面緑化やビルなどの屋上の緑化工法に用いる緑化基盤材、基盤材に種子を加えず、飛来する種子を拾う待受け方の緑化に適した緑化基盤材、または果樹園、菜園、庭園の植物育成に適した緑化基盤材に関する。
【背景技術】
【０００２】
従来の法面などの緑化育成基盤の造成法として、堆肥としてのバーク材を主材とし、これに種子を混合した緑化基盤材を、高分子系樹脂から成る接合材や、セメント又はモルタルあるいはフライアッシュなどの無機系鉱物の接合材で法面に接合・安定させる工法や、堆肥としてのバーク材と黒土や人工土壌（パーライト等）に種子を同様に混合した緑化基盤材を、高分子系樹脂から成る接合材や、セメント又はモルタルあるいはフライアッシュなどの無機系鉱物からなる接合材で法面に接合させる工法が知られている。
【０００３】
前記の土を使用しないバーク堆肥を主材とする緑化基盤材を、高分子系樹脂からなる接合材を用いて法面に接合した場合、接合材が高分子系樹脂のために、経時とともに通気性・保水性が悪くなり、また、その基盤表面が乾燥するにつれ撥水性となるため、水分の蒸散のみが行われ吸水は行なわれないので、発芽率・根茎の伸張が遅くなり、数年の内に枯れ死に至るケースが多かった。
【０００４】
さらに、地山が岩盤の場合は下地とのなじみがなく、造成した基盤が反り上がって法面との間に付着切れを起こし、基盤の滑落・崩壊を生じる危険性がある。
【０００５】
また、バーク堆肥を主材とする緑化基盤材に従来の無機系鉱物の接合材を使用したもの（例えば特許文献１参照）は、基盤が硬くなり過ぎ基盤そのものが、地山から滑る現象や、発芽障害を生じさせていた。
【０００６】
後者のバーク堆肥と土や人工土壌に種子を混合した緑化基盤材は、場合によっては、混入される土に含まれる病原菌により、植物の育成不全や根腐れを生じさせていた。また、何れの場合もバーク堆肥のみでは栄養過多になり、初期発芽はするものの数年の内に立ち枯れを起こしてしまうことが多かった。
【０００７】
【特許文献１】特開平８−２３７６６号公報
【０００８】
このため、前述の従来工法に用いる緑化基盤材では、周辺の植物遺伝子を保護するために外来種子を入れずに基盤材のみを吹き付けて、自然に飛来する種子を拾う、待ち受け型の緑化や近隣の山林の表土を採取し、そこにある種子を利用する埋土種子利用型などの緑化ができなかった。
【発明の開示】
【発明が解決しようとする課題】
【０００９】
この発明は以下の課題を解決するためになされたものである。
１．土、人工土壌等にある病原菌が完全に殺菌されていること。
２．根茎が充分発育し、緑鮮やかな緑化ができること。
３．生きた土壌を形成し、動植物の生態系の保全及び回復が可能であること。
４．降雨に対して種子や客土の流出がないような固結状態を作ること。
５．降雨によって溜まる水が適度に保持され、適度に排水されること。
６．植物の発芽が早く、また発芽率が良い。さらに、根茎の伸張が良好で成長が促進
されること。
７．自然飛来種子を捉え成長させる基盤であること。
８．周辺山林の表層を取り、そこに眠る種子（埋土種子）を利用することによって、
周辺環境との調和が図れる緑化基盤であること。
９．樹林化が可能な基盤が作れること。
【課題を解決するための手段】
【００１０】
この発明は上記の課題を解決するために、黒土として永年に亘って堆積発酵・分解成熟させた天然真性腐植土や自然の成熟土を焼鈍させた焼土と、炭として木炭、燻炭、籾殻炭等の植物炭及びミネラルとして苦汁等の天然ミネラルの３要素素材、又は、前記３要素素材にバーク堆肥を加えた４要素素材を無機系鉱物で接合して安定させた緑化基盤材としたことである。
そして、この緑化基盤材の成分は、重量換算率でバーク1〜90％、焼土を５〜95％、植物炭1〜50％、天然ミネラルを（１〜50）×10-4％とし、上記緑化基盤材を無機系鉱物で接合させることにより、安定させた緑化基盤の造成ができる。
【００１１】
上記の様に、永年に亘って堆積発酵・分解成熟させた天然真性腐植土や自然の成熟土を700度で鈍焼させた焼土を用いることにより病原菌を皆無にできる。
また、カルシウム、マグネシウム・カリウム、亜鉛、鉄、マンガンを含む天然苦汁を混合することにより、根茎や果実の育成に必要なミネラル分を補うことができ根茎が充分発育し、緑鮮やかな緑化が可能となる。
木炭、竹炭、燻炭等の植物炭において、細胞構造をそのまま残すように焼いたものは、多孔質かつ大きな表面積（備長炭：10〜100m2／g、竹炭・燻炭：100〜300m2／ｇ）を有するので各種微生物が繁殖するには最良の住処となり、動植物の生態系の保全及び回復が可能となる。
また、これらの植物炭からケイ素、ミネラルが溶出し、長期的な肥効力や地力を高める効果もある。
【００１２】
黒土、炭として木炭、籾殻炭等の植物炭、ミネラルとして苦汁等の天然ミネラルの３要素素材の性質を互いに損なうことなく有機的に結合させるために、石粉、フライアッシュ、シリカ微粉末等の植物育成材とモンモリロナイト、ベントナイト、イライト等の粘土鉱物から成る粘性助材を主成分とし、セメントを従成分とする無機系鉱物から成る接合材（商品名「エコスティブラー（商標）」小野田ケミコ株式会社製）を用いることにより、基盤を植生に適した硬度（山中式17〜23mm）に仕上げ、緑化基盤材の保水性、通気性を確保し、また、降雨による黒土、種子分の流出と飛散を防止することができる。
【００１３】
上記緑化基盤材は種子の育成に適したものとなり、一般的には緑化基盤材の製造時に種子を混合するが、地域に自生する遺伝的集団、地域系統群を保全し、種の持つ遺伝的多様性を守ろうとした場合には、種子を入れない緑化基盤材を形成し、裸地に周辺から飛来してくる樹木や草本種子を補足し育成させることができる。
さらには、周辺樹林地の表土を採取し、その中の種子を緑化基盤材に混入させることによって、周辺環境と調和した生態系を形成できる。
【発明の効果】
【００１４】
黒土として永年に亘って堆積発酵、分解成熟させた天然真性腐植土や自然の成熟土を焼鈍させた焼土と、炭として木炭、籾殻炭などの植物炭、及びミネラルとして苦汁等の天然ミネラルの３要素素材、または、これにバーク堆肥を加えた４要素素材を、前記の無機系鉱物で接合して安定させた緑化基盤材は、基盤を柔らかく仕上げ、保水性、通気性を確保し、また降雨による黒土、種子分の流出と飛散を防止、植物の発芽、根茎の伸張が良好な育成環境が保持できた。
また、自然飛来種子、埋土種子の利用が可能になれば、外来種子の育成を嫌う国定、国立公園での植生環境を変えることなく、再生が可能となる。
【発明を実施するための最良の形態】
【００１５】
黒土として永年に亘って堆積発酵・分解成熟させた天然真性腐植土や自然の成熟土を焼鈍させた焼土、炭として木炭、燻炭、籾殻炭等の植物炭、ミネラルとして天然苦汁の３要素素材から成る緑化基盤材を、接合し安定させる材料として、基盤の硬度を発現させるセメント鉱物、植物育成助材として石粉、フライッシュ、スラグ微粉末、シリカ微粉末、及び粘性助材としてモンモリロナイト、ベントナイト、イライト、カオリン、ハロイサイト等の粘土鉱物から成る無機系鉱物接合材（商品名「エコスティブラー（商標）」小野田ケミコ株式会社製）を用いた。
なお、天然苦汁には以下のミネラルを含む。
【００１６】
【表１】
2006000046.tif 000002
【００１７】
実験−１：基盤の違いによる発芽状況
基盤材の種類を黒土、黒土＋燻炭、黒土＋燻炭＋ミネラルの３種類とし、種子は草本のトールフェスクケンタッキー、オーチャードグラス、バーミュダーグラスの３種類を選定した。
温度は20℃とし、２日に一回の水遣りを行った。いずれも草本３種類の平均値とした。
その結果を表−２に示す。
【００１８】
【表２】
2006000046.tif 000003
【００１９】
成育状況はいずれの場合も黒土＜黒土＋燻炭＜黒土＋燻炭＋ミネラルとなり、黒土＋燻炭＋ミネラルの組合わせが最良の結果となった。
実験−２  接合材の種類による基盤性状と発芽状況の確認試験を行った。
表−２の結果から基盤には黒土＋燻炭＋ミネラルを採用し、それらの接合材に高分子系樹脂、従来の無機系鉱物安定材、本発明に用いる無機系鉱物安定材（商品名：エコスティブラー（商標））の３種類とし、種子は同様、草本のトールフェスクケンタッキー、オーチャードグラス、バーミュダーグラスの３種類を選定した。
温度は20℃とし、７日に一回の水遣りを行った。いずれも草本３種類の平均値とした。
その結果を表−３及び表−４に示す。
【００２０】
【表３】
2006000046.tif 000004
【００２１】
【表４】
2006000046.tif 000005
【００２２】
基盤の硬度は高分子系樹脂安定材、従来の無機系鉱物安定材では硬めになり、植物の育成に必ずしも最適ではないが、本品組み合わせでは、最適な基盤環境が得られている。
保水率も本品組み合わせは一番大きく１週間毎の水遣りにも充分な保水性を示している。その結果、発芽も早く、草長や根茎の伸びも良好であった。
本発明の緑化基盤材を用いることにより、埋土種子・飛来種子の利用が可能になり、周辺の緑化環境が維持できることが判明した。
【産業上の利用可能性】
【００２３】
本発明の緑化基盤材は上述のとおりであるから、道路、造成地その他の法面保護、景観保護のための法面緑化の他に、ビル等の屋上緑化、果樹園、菜園、庭園の植物育成用基盤として、植物の発芽、育成、果実の育成が著しく改善される材料であり、法面保護の分野以外の分野においても広く期待できる。